(57)【要約】【課題】高温の温風により床材が変色や変形をしないように床面の温度上昇を抑制し、使い勝手を向上させた温風暖房器を得る。【解決手段】器体１内の背面側に設けたファンモーター２と、下部に設けた燃焼部３と、その上面に設けた送風用のダクト５と、前面に設けた温風吹き出し口７と、その温風吹き出し口７に設けた複数のルーバー１２と、器体１背面に設けた室温センサ６とを備え、この室温センサ６により検知した温度に基づいて室温制御を行うようにした温風暖房器において、前記複数のルーバー１２のうち、上段部に設けた上段ルーバー８の角度をモーター９により上下に移動可能にするとともに、器体１を載せる置き台１０の温風吹き出し口７前方付近に床面センサ１１を設置し、この床面センサ１１の検知した温度に応じて前記モーター９を制御する。【選択図】　図１
2004125315.tif 000002
【特許請求の範囲】
【請求項１】
器体（１）内の背面側に設けたファンモーター（２）と、下部に設けた燃焼部（３）と、その上面に設けた送風用のダクト（５）と、前面に設けた温風吹き出し口（７）と、その温風吹き出し口（７）に設けた複数のルーバー（１２）と、器体（１）背面に設けた室温センサ（６）とを備え、この室温センサ（６）により検知した温度に基づいて室温制御を行うようにした温風暖房器において、前記複数のルーバー（１２）のうち、上段部に設けた上段ルーバー（８）の角度をモーター（９）により上下に移動可能にするとともに、器体（１）を載せる置き台（１０）の温風吹き出し口（７）前方付近に床面センサ（１１）を設置し、この床面センサ（１１）の検知した温度に応じて前記モーター（９）を制御することを特徴とする温風暖房器。
【発明の詳細な説明】
【０００１】
【発明の属する技術分野】
本発明は、温風により室内の暖房を行う温風暖房器に関するものである。
【０００２】
【従来の技術】
【特許文献１】特開平５−３４０６０９号公報
一般にこの種の温風暖房器、例えば石油ファンヒータは、図３に示すように器体１内にファンモーター２と、燃焼部３と、それらを制御する制御部４と、温風の風路となるダクト５が設けられ、器体１背面には室温センサ６が設けられ、器体１前方には温風吹き出し口７が設けられていて、ダクト５を通して燃焼部３を通過した温風が温風吹き出し口７に固定されたルーバー１２を介して一定方向に向けて放出される。
【０００３】
そして、前記ルーバー１２の上段側に設けられたルーバー８は下方に向けて設置され、ルーバー８を通過する温風を床面に向けて吹き降ろすことで下段側のルーバー１２を通過して放出される温風を上昇しにくくし、床面をより早く効率良く暖めるように構成している。
【０００４】
また、制御部４は室温センサ６により検知した器体１背面の雰囲気温度と、設定室温の温度差に応じた燃焼ガス量及びファンモーター２の回転数を調節し、それにより熱量及び風量を変化させ温風温度を調節している。
【０００５】
そして、器体１の背面雰囲気温度が設定室温に到達するまでは一定の熱量、風量にて固定された強運転とし、設定温度到達後に熱量、風量を下げるように制御を行っている。
【０００６】
また、特許文献１に示すものは、暖房能力の変更に伴って温風吹き出し口に設けた上・下２枚の可変ルーバーの角度を変えて温風の吹き出し角度を変え、強暖房時から弱暖房時における室内の温度分布差を少なくするとともに、弱暖房時の温風が下向きにならず床面に沿うように向きを修正して吹き出すように上・下２枚の可変ルーバーの角度を調節し、床面の熱変色を防止するようにしている。
【０００７】
【発明が解決しようとする課題】
しかしながら前者のものは、温風吹き出し口より放出される温風は、器体背面の室温センサで検知した室温が使用者の設定した任意の温度に到達するまでは、器体の異常温度上昇等の異常検知モードに入らない限り、強運転により一定の温風を一定方向に送りつづけ、設定された温度に到達、またはオーバーすることにより制御部で熱量及び風量を調整し、温風温度を抑えるような制御方法を行っているため、器体の設置状態や部屋の状態によって室温があがりにくかったり、または器体背面の室温センサ付近の温度と部屋の温度に差が生じるなどの状況が発生すると、長時間強燃焼により運転する場合があり、ルーバーにより床面をより早く効率よく暖める様になっているため、前方床面温度は長時間温風が当たることで必要以上に暖められ温度上昇する場合がある。
【０００８】
そして、ある温度まで上昇すると床面温度は安定するが、床の材質によっては熱に弱いものもあり長時間熱い温風にさらされて変形、変色に至ってしまう場合があるという問題点があった。
【０００９】
また、後者のものは、温風量あるいは燃焼の強弱の変更に連動してルーバーの角度が可変され、温風の届く範囲を均一となるようにし室温温度分布差を無くす様にしているが、前者のものと同様に器体の設置状態や部屋の状態によって室温が上がりにくかったり、室温センサ付近の温度と部屋の温度に差が生じるなどの状況が発生すると、長時間強燃焼により運転する場合があり、この場合には熱い温風が長時間床に当たり床面の熱変色がおこる場合がある。
【００１０】
【課題を解決するための手段】
上記の問題点を解決するために、本発明は器体内の背面側に設けたファンモーターと、下部に設けた燃焼部と、その上面に設けた送風用のダクトと、前面に設けた温風吹き出し口と、その温風吹き出し口に設けた複数のルーバーと、器体背面に設けた室温センサとを備え、この室温センサにより検知した温度に基づいて室温制御を行うようにした温風暖房器において、前記複数のルーバーのうち、上段部に設けた上段ルーバーの角度をモーターにより上下に移動可能にするとともに、器体を載せる置き台の温風吹き出し口前方付近に床面センサを設置し、この床面センサの検知した温度に応じて前記モーターを制御するようにしたものである。
【００１１】
これによって、温風の方向を変化させ、必要以上に床面温度が上昇するのを防止することができ、それにより床材の変形、変色等を防止することが出来る。
【００１２】
【発明の実施の形態】
以下、本発明の実施例を図１、図２を用いて説明する。
【００１３】
図１において、１は器体であり、内部背面側にファンモーター２、下部に燃焼部３、その上面に温風が通過するダクト５等が設けられている。
【００１４】
６は器体１の背面に設けられた室温センサであり、これにより室温を検知する。
【００１５】
７は温風吹き出し口で、複数のルーバー１２が設けられていて、温風の吹き出す方向を床面に沿うように略水平位置に設けているが、その内の上段部に設けられている上段ルーバー８は、ルーバーの向きを上下に可動できるように近傍にモーター９が設けられている。
【００１６】
１０は置き台で、この置き台１０の上に器体１を載せる。また置き台１０の温風吹き出し口７前方付近に床面センサ１１を設置し、この床面センサ１１で床面温度を検知する。
【００１７】
４は制御部であり、図２のブロック図で示すように、室温センサ６の信号と床面センサ１１の信号と室温設定部１３の信号を入力し、燃焼部３の燃焼ガス量を調節する信号と、温風の送風量を調節するようにファン２の回転数を可変する信号と、温風吹き出し口に設けた上段ルーバー８の角度を上下に移動するモーター９の動作を制御する信号とを出力する。そして、室温センサ６の現在室温と室温設定部１３により設定された室温の温度差に応じた燃焼部３の燃焼ガス量及び、ファンモーター２の送風量を制御して調節し、器体１前方に設けた温風吹き出し口７から室内に放出するように動作するとともに、床面センサ１１の検知した温度に応じて上段ルーバー８の角度を可変するようにモーター９を制御する。
【００１８】
次に本実施例における作用について説明する。
【００１９】
運転開始直後の室温が低い場合は、上段ルーバー８は下方に向けてあり、ダクト５を通して燃焼部３を通過した温風は、温風吹き出し口７にほぼ水平に固定されたルーバー１２を介して水平方向に向けて放出されるが、上段ルーバー８を通過した温風は床面に向けて吹き降ろす向きであるため下段側のルーバー１２を通過した温風を上昇しにくくし、床面をより早く効率良く暖める。
【００２０】
そして床面センサ１１により床面温度が一定の温度に上昇したと制御部４により判断した場合は、上段ルーバー８に設けたモーター９によって下方に向けられていた上段ルーバー８を上向きに作動させ、固定されたルーバー１２と同じほぼ水平位置となったところで固定する。
【００２１】
その後、床面センサ１１により一定の温度に床面温度が下降、到達したと制御部４により判断した場合は、上段ルーバー８に設けたモーター９によって水平位置になっていた上段ルーバー８を作動させ、元の下向き位置に固定する。
【００２２】
上記動作は設定室温、燃焼状態等に関係なく制御され、強燃焼でも弱燃焼でも床面温度が上昇すれば上段ルーバー８の向きを水平にし、下降すれば下向きにと温風の方向を調節するものであり、これによって床面温度をコントロールすることが可能となり、必要以上に床面温度が上昇するのを防止し、熱に弱い床材の変形、変色を防止することができる。
【００２３】
【発明の効果】
以上説明したように本発明は、床面温度を検知する床面センサと、モーターで角度を可変することができる上段ルーバーと、それを制御する制御部によって温風の吹き出し方向を調整し、それによって床面温度をコントロールし、必要以上に床面温度が上昇するのを防止することができるため、床材の変形、変色等の弊害が防止され使い勝手が向上できる温風暖房器を提供できる。
【図面の簡単な説明】
【図１】本発明の一実施例の温風暖房器側面断面図を示す。
【図２】同制御部のブロック図を示す。
【図３】従来例の温風暖房器の側面断面図を示す。
【符号の説明】
１　器体
２　ファンモーター
３　燃焼部
５　ダクト
６　室温センサ
７　温風吹き出し口
８　上段ルーバー
９　モーター
１０　置き台
１１　床面センサ
１２　ルーバー
【図１】
2004125315.tif 000003
【図２】
2004125315.tif 000004
【図３】
2004125315.tif 000005